(57)【要約】【課題】本発明は、ストラップを取付可能であって、ストラップを取り付けるための開口が一つである携帯装置を提供することを目的とする。【解決手段】携帯電話機１は、第１面２Ａ及び第２面２Ｂを有する筐体２と、開口部４と、開口部４に連続する挿入孔部５と、挿入孔部５に連続する収容部６と、を備える。挿入孔部５は、第２方向Ｘにのび、第１内側面５１と、第２内側面５２と、を有する。収容部６は、第１方向Ｚにおける第２面２Ｂ側に突出し、ストラップ紐が取り付けられる突起部６１と、突起部６１における第２方向Ｘの奥側に配置される第２底面部６２ｂと、を備える。第２底面部６２ｂは、第１方向Ｚにおいて、第１内側面５１よりも第２面２Ｂ側に配置される。【選択図】図８
2013243448.tif 000002
【特許請求の範囲】
【請求項１】
第１面と、第１方向において前記第１面と反対側の第２面と、前記第２面と前記第２面とをつなぐ側面と、を有する筐体と、
前記側面に形成される開口部と、
前記開口部に連続すると共に、前記筐体の内部側であって前記第１方向と直交する第２方向にのびるように形成され、前記第１方向における第１面側の第１内側面と、前記第２面側の第２内側面と、を有する挿入孔部と、
前記挿入孔部に連続する収容部であって、
前記第１方向に突出して配置され、前記第１面側の基端部と、前記第２面側の先端部と、を有する突起部と、
前記挿入孔部の第１内側面と前記突起部の前記基端部とに連続する底面部であって、
前記突起部における前記挿入孔部側に配置され、前記第１内側面と、前記突起部の前記基端部における前記挿入孔部側の部分とをつなぐ第１底面部と、
前記第２方向において、前記突起部における前記挿入孔部と反対側に配置され、前記第１方向において、前記挿入孔部の前記第１内側面よりも前記第２面側に配置される第２底面部と、
前記第１方向及び前記第２方向に直交する第３方向において、前記突起部を挟んで配置されると共に、前記第１内側面と、前記第２底面部とをつなぐ第３底面部及び第４底面部と、を備える
携帯装置。
【請求項２】
前記底面部における前記第２底面部は、
前記第１方向において、前記挿入孔部の前記第２内側面よりも前記第２面側に配置される
請求項１に記載の携帯装置。
【請求項３】
前記底面部における前記第１底面部は、曲面状である
請求項１又は２に記載の携帯装置。
【請求項４】
前記筐体は、前記第３方向に長い形状であり、
前記開口部は、前記側面における前記第２方向外側の領域に形成される
請求項１から３のいずれかに記載の携帯装置。
【請求項５】
前記筐体は、前記第１方向に沿って配置されるネジ部材を有し、
前記収容部は、前記ネジ部材に近接して配置される
請求項１から４のいずれかに記載の携帯装置。
【請求項６】
前記筐体は、前記収容部における前記第２面側に配置されるカバー部材を有し、
前記カバー部材は、
前記第１方向において前記底面部と対向して配置されると共に前記収容部に突出する壁部であって、前記第２方向において、前記突起部における前記挿入孔部と反対側に配置される規制部を有する壁部を備える
請求項１から５のいずれかに記載の携帯装置。
【請求項７】
前記壁部における前記規制部は、前記第２方向において、前記突起部と重なるように配置される
請求項６に記載の携帯装置。
【請求項８】
前記壁部は、前記第１方向から見た場合、前記突起部における前記先端部を囲むように環状に形成される
請求項６又は７に記載の携帯装置。
【請求項９】
前記壁部は、前記突起部における前記先端部に被嵌して配置される
請求項８に記載の携帯装置。
【発明の詳細な説明】
【技術分野】
【０００１】
本発明は、携帯電子機器等の携帯装置に関する。
【背景技術】
【０００２】
従来、携帯装置としての携帯電子機器において、ストラップを取り付け可能に構成されたものが存在する。
例えば、ストラップ取付部として、筐体の側面に形成された２つの開口を有するカメラが提案されている（例えば、特許文献１参照）。
【先行技術文献】
【特許文献】
【０００３】
【特許文献１】特開２００８−２０３５０５号公報
【発明の概要】
【発明が解決しようとする課題】
【０００４】
特許文献１に開示されたカメラにおいて、側面には２つの開口が形成されている。また、特許文献１に開示されたカメラにおいて、２つの開口同士の間の部分には、ストラップの紐が巻きつけられる。このため、デザインの面から改善が求められていた。
【０００５】
本発明は、ストラップを取付可能であって、ストラップを取り付けるための開口が一つである携帯装置を提供することを目的とする。
【課題を解決するための手段】
【０００６】
本発明は、第１面と、第１方向において前記第１面と反対側の第２面と、前記第２面と前記第２面とをつなぐ側面と、を有する筐体と、前記側面に形成される開口部と、前記開口部に連続すると共に、前記筐体の内部側であって前記第１方向と直交する第２方向にのびるように形成され、前記第１方向における第１面側の第１内側面と、前記第２面側の第２内側面と、を有する挿入孔部と、前記挿入孔部に連続する収容部であって、前記第１方向に突出して配置され、前記第１面側の基端部と、前記第２面側の先端部と、を有する突起部と、前記挿入孔部の第１内側面と前記突起部の前記基端部とに連続する底面部であって、前記突起部における前記挿入孔部側に配置され、前記第１内側面と、前記突起部の前記基端部における前記挿入孔部側の部分とをつなぐ第１底面部と、前記第２方向において、前記突起部における前記挿入孔部と反対側に配置され、前記第１方向において、前記挿入孔部の前記第１内側面よりも前記第２面側に配置される第２底面部と、前記第１方向及び前記第２方向に直交する第３方向において、前記突起部を挟んで配置されると共に、前記第１内側面と前記第２底面部とをつなぐ第３底面部及び第４底面部と、を備える携帯装置に関する。
【０００７】
また、携帯装置において、前記底面部における前記第２底面部は、前記第１方向において、前記挿入孔部の前記第２内側面よりも前記第２面側に配置されることが好ましい。
【０００８】
また、携帯装置において、前記底面部における前記第１底面部は、曲面状であることが好ましい。
【０００９】
また、携帯装置において、前記筐体は、前記第３方向に長い形状であり、前記開口部は、前記側面における前記第２方向外側の領域に形成されることが好ましい。
【００１０】
また、携帯装置において、前記筐体は、前記第１方向に沿って配置されるネジ部材を有し、前記収容部は、前記ネジ部材に近接して配置されることが好ましい。
【００１１】
また、携帯装置において、前記筐体は、前記収容部における前記第２面側に配置されるカバー部材を有し、前記カバー部材は、前記第１方向において前記底面部と対向して配置されると共に前記収容部に突出する壁部であって、前記第２方向において、前記突起部における前記挿入孔部と反対側に配置される規制部を有する壁部を備えることが好ましい。
【００１２】
また、携帯装置において、前記壁部における前記規制部は、前記第２方向において、前記突起部と重なるように配置されることが好ましい。
【００１３】
また、携帯装置において、前記壁部は、前記第１方向から見た場合、前記突起部における前記先端部を囲むように環状に形成されることが好ましい。
【００１４】
また、携帯装置において、前記壁部は、前記突起部における前記先端部に被嵌して配置されることが好ましい。
【発明の効果】
【００１５】
本発明によれば、ストラップを取付可能であって、ストラップを取り付けるための開口が一つである携帯装置を提供することができる。
【図面の簡単な説明】
【００１６】
【図１】携帯電話機１における正面図である。
【図２】携帯電話機１における裏面図である。
【図３】携帯電話機１における側面図である。
【図４】ストラップ取付構造を説明する断面図である。
【図５】ストラップ取付構造における本体側の構造を説明する斜視図である。
【図６】ストラップ取付構造における本体側の構造を説明する拡大断面図である。
【図７】ストラップ取付構造におけるカバー側の構造を説明する斜視図である。
【図８】ストラップ紐９におけるＵ字状に曲げた端部９１が開口部４を介して挿入孔部５に挿された状態を示す斜視図である。
【図９】ストラップ紐９の端部９１が突起部６１の先端部６１ｂ側に誘導されている状態を示す斜視図である。
【図１０】ストラップ紐９の端部９１が突起部６１に取り付けられた状態を示す斜視図である。
【図１１】ストラップ紐９の端部９１が突起部６１に取り付けられた状態を示す斜視図である。
【図１２】ストラップ紐９が突起部６１に取り付けられた本体３Ａにカバー３Ｂが取り付けられて、筐体２へのストラップ紐９の取り付けが完了した状態の断面図である。
【図１３】ストラップ紐９から突起部６１に作用する力を説明する図である。
【発明を実施するための形態】
【００１７】
以下、図面を参照して本発明を実施するための形態を説明する。
図１から図３により、携帯装置としての携帯電話機１の基本構造を説明する。図１は、携帯電話機１における正面図である。図２は、携帯電話機１における裏面図である。図３は、携帯電話機１における側面図である。
【００１８】
図１から図３に示すように、携帯電話機１は、筐体２を有する。本実施形態において、筐体２は、長手方向である第３方向Ｙに長い形状である。
筐体２は、第１面２Ａ（表面）と、第２面２Ｂ（裏面）と、側面２Ｃと、を有する。本実施形態において、第１面２Ａは、ユーザに対向する面であってユーザからの押圧操作を受ける面である。第１面２Ａは、筐体２の表側の面であり、第２面２Ｂと対をなす面である。
第２面２Ｂは、ユーザの指及び手の平に対向して配置される面である。
側面２Ｃは、第１面２Ａと第２面２Ｂとをつなぐ面である。
ここで、本実施形態において、筐体２における厚さ方向を第１方向Ｚ、筐体２における短手方向を第２方向Ｘ、筐体２にける長手方向を第３方向Ｙとする。第２方向Ｘは、第１方向Ｚに直交する。第３方向Ｙは、第１方向Ｚ及び第２方向Ｘに直交する。
【００１９】
筐体２は、本体３Ａと、本体３Ａにおける第２面２Ｂ側に着脱可能に配置されるカバー３Ｂとを備える。
筐体２は、ストラップ取付構造Ｕを有する。筐体２は、ストラップ取付構造Ｕを構成する開口であって、側面２Ｃに配置される開口部４を有する。開口部４は、ストラップの紐が挿入される開口である。
【００２０】
筐体２における第１面２Ａ側には、ハードキー群１１と、表示部材であるタッチスクリーンディスプレイ２１と、音入力部２４を構成するマイク用孔部２４ａと、音出力部２５を構成するレシーバ用孔部２５ａと、が配置される
【００２１】
ハードキー群１１は、筐体２における第１面２Ａ側に配置される。ハードキー群１１は、筐体２の第３方向Ｙにおける一端側に配置される。ハードキー群１１は、筐体２の第２方向Ｘに沿って略直線状に配置される。
ハードキー群１１は、ハードキー１１ａ、ハードキー１１ｂ、ハードキー１１ｃと、ハードキー１１ｄと、ハードキー１１ｅと、を有する。各ハードキーは、キー部材と、スイッチ部とを有して構成される。
【００２２】
タッチスクリーンディスプレイ２１は、文字及び図形を表示可能に構成される。タッチスクリーンディスプレイ２１は、所定の機能に対応した文字及び図形等を表示可能に構成される。ここで、図形とは、アイコン、アプリケーションごとに設定された画面等を含む概念である。
【００２３】
タッチスクリーンディスプレイ２１は、ディスプレイ２１Ａと、タッチスクリーン２１Ｂとを有する。
ディスプレイ２１Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。
ディスプレイ２１Ａは、文字及び図形等を表示する。
【００２４】
タッチスクリーン２１Ｂは、タッチスクリーンディスプレイ２１に対する指、又はスタイラスペン等の接触を検出する。タッチスクリーン２１Ｂは、複数の指、又はスタイラスペン等がタッチスクリーンディスプレイ２1に接触した位置を検出することができる。
タッチスクリーン２１Ｂの検出方式は、静電容量方式、抵抗膜方式、表面弾性波方式（又は超音波方式）、赤外線方式、電磁誘導方式、及び荷重検出方式等の任意の方式でよい。
【００２５】
音入力部２４は、筐体２における該筐体２の長手方向である第３方向Ｙの一端側に配置される。音入力部２４は、第３方向Ｙにおいて、ハードキー群１１と同じ端部側に配置される。音入力部２４は、第３方向Ｙにおいて、ハードキー群１１の外側に配置される。
音入力部２４は、第１面２Ａに形成されたマイク用孔部２４ａと、筐体２の内部に収容配置される通話用マイク２４ｂとを有する。マイク用孔部２４ａは、通話用マイク２４ｂに対向して配置される。
【００２６】
音出力部２５は、筐体２における第３方向Ｙの一端側に配置される。音出力部２５は、第３方向Ｙにおいて、音入力部２４と反対の端部側に配置される。
音出力部２５は、第１面２Ａに形成されたレシーバ用孔部２５ａと、筐体２の内部に配置されるレシーバ２５ｂとを有する。
【００２７】
続けて、携帯電話機１における内部構造について説明する。
筐体２の内部には、通話用マイク２４ｂと、レシーバ２５ｂと、タッチスクリーンディスプレイ２１を構成するディスプレイ２１Ａと、回路基板（不図示）と、アンテナ（不図示）とが収容配置される。
【００２８】
通話用マイク２４ｂは、筐体２の第３方向Ｙにおけるハードキー群１１側の端部に配置される。通話用マイク２４ｂは、第３方向Ｙにおいて、ハードキー群１１の外側に配置される。
【００２９】
レシーバ２５ｂは、筐体２の第３方向Ｙにおける通話用マイク２４ｂと反対側の端部に配置される。レシーバ２５ｂは、筐体２の第３方向Ｙにおけるハードキー群１１側と反対側の端部に配置される。
【００３０】
ディスプレイ２１Ａは、例えば、液晶パネルと、液晶パネルを駆動する駆動回路と、液晶パネルの背面側から光を照射するバックライト等の光源部とを含んで構成される。
【００３１】
キー構造部は、各ハードキーを構成するキー部材と、キーシートと、各ハードキーを構成するスイッチ部が実装されたキー基板と、を有する。
【００３２】
回路基板は、平板状の基板部と、基板部の表面に実装される電子部品及び各種回路ブロックと、基板部の表面に実装される基準電位パターン層とを有する。
基板部に実装される電子部品は、例えば、アンテナが送受信する信号を処理する信号処理部を含む電子部品等である。また、回路ブロックは、例えば、ＲＦ（Ｒａｄｉｏ  Ｆｒｅｑｕｅｎｃｙ）回路や電源回路等である。
【００３３】
アンテナは、基台と、基台に上に配置された所定形状のアンテナエレメントとを有して構成される。
アンテナエレメントは、帯状の板金により形成される。アンテナエレメントは、不図示の給電端子を介して回路基板から給電される。これにより、アンテナエレメントは、給電端子を介して回路基板から給電されると共に、回路基板のＲＦモジュール等と接続される。
【００３４】
続けて、図３から図７により、携帯電話機１におけるストラップ取付部の構造について説明する。図４は、ストラップ取付構造を説明する断面図である。図５は、ストラップ取付構造における本体側の構造を説明する斜視図である。図６は、ストラップ取付構造における本体側の構造を説明する拡大断面図である。図７は、ストラップ取付構造におけるカバー側の構造を説明する斜視図である。
【００３５】
図３から図６に示すように、筐体２は、本体３Ａと、本体３Ａにおける第２面２Ｂ側に着脱可能に配置されるカバー３Ｂとを備える。
【００３６】
本体３Ａは、後述するストラップ取付構造Ｕを構成する開口部４、挿入孔部５、収容部６、突起部６１等を有する。また、本体３Ａは、上述の回路基板、キー構造部等を収容する。また、本体３Ａは、複数の部材により構成されており、１又は複数のネジ部材７により一体的に固定されている。
カバー３Ｂは、後述するストラップ取付構造Ｕを構成する壁部８を有する。カバー３Ｂは、本体３Ａにおける第２面２Ｂ側に取り付けられる。本実施形態において、カバー３Ｂは、不図示のバッテリーを覆うバッテリーカバーを兼ねており、簡易な操作により本体３Ａに着脱可能に構成される。
【００３７】
図４から図６により、ストラップ取付構造Ｕについて説明する。
ストラップ取付構造Ｕは、上述の通り、本体３Ａに配置される開口部４、挿入孔部５、収容部６、突起部６１と、カバー３Ｂに配置される壁部８とを有する。
【００３８】
図３から図５に示すように、開口部４は、筐体２の側面２Ｃに形成されている。開口部４は、後述のストラップ紐９のＵ字状の端部を挿入するための開口である。
開口部４は、側面２Ｃにおける短手方向である第２方向Ｘ外側の領域に形成される。開口部４は、長手方向である第３方向Ｙを垂直方向に沿って配置した場合、側面２Ｃにおける垂直方向に沿うように配置される領域に配置される。
開口部４は、本体３Ａの周壁部に貫通形成された開口である。ここで、カバー３Ｂの周壁部における開口部４に対応する領域には、開口部４を外部に露出させるための開口用凹部３１が形成されている。これにより、開口部４は、外部に露出して配置される。
【００３９】
挿入孔部５は、筐体２の内部側であって第１方向Ｚと直交する第２方向Ｘにのびるよう本体３Ａに形成される孔部である。挿入孔部５は、後述するストラップ紐９のＵ字状の端部が挿入されると共に、収容部６に向けて移動される孔部である。
挿入孔部５は、開口部４に連続する。挿入孔部５は、開口部４に連続して配置される。
挿入孔部５は、第１方向Ｚにおける第１面２Ａ側の第１内側面５１と、第２面２Ｂ側の第２内側面５２と、を有する。また、挿入孔部５は、第１内側面５１と第２内側面５２とをつなぐ内側面であって、第３方向Ｙにおいて音出力部２５側の内側面である第３内側面５３を有する。
第１内側面５１と第２内側面５２は、挿入孔部５の内側面である。
第１内側面５１と第２内側面５２は、第１方向Ｚにおいて互いに対向して配置される内側面である。
【００４０】
収容部６は、挿入孔部５に連続して配置される。収容部６は、後述するストラップ紐９のＵ字状の端部が収容される部分である。
収容部６は、突起部６１と、底面部６２と、収容空間６３とを有する。
【００４１】
突起部６１は、第１方向Ｚに突出して配置される。突起部６１は、本体３Ａに形成され、第１面２Ａ側から第２面２Ｂ側に向かって突出する突起である。突起部６１は、後述するストラップ紐９のＵ字状の端部が取り付けられる部分である。
【００４２】
突起部６１は、第１方向Ｚにおいて、第１面２Ａ側の基端部６１ａと、第２面２Ｂ側の先端部６１ｂと、を有する。
基端部６１ａは、後述する底面部６２に連続する部分である。
先端部６１ｂは、カバー３Ｂにおける環状の壁部８に囲まれて配置される部分である。
【００４３】
底面部６２は、第１底面部６２ａと、第２底面部６２ｂと、第３底面部６２ｃと、第４底面部６２ｄと、を備える。
【００４４】
第１底面部６２ａは、突起部６１における挿入孔部５側に配置される。第１底面部６２ａは、第１内側面５１と、突起部６１の基端部６１ａにおける挿入孔部５側の部分とをつなぐ底面である。第１底面部６２ａは、挿入孔部５の第１内側面５１と突起部６１の基端部６１ａとに連続する面である。第１底面部６２ａは、凹状の曲面状の底面である。
第１底面部６２ａは、挿入孔部５に挿入されたストラップ紐９を突起部６１の先端部６１ｂ側に誘導する案内面として機能する。
【００４５】
第２底面部６２ｂは、第２方向Ｘにおいて、突起部６１における挿入孔部５と反対側に配置された底面である。第２底面部６２ｂは、開口部４から見て、突起部６１の奥側に配置される。
第２底面部６２ｂは、第１方向Ｚにおいて、挿入孔部５における第１内側面５１よりも第２面２Ｂ側に配置される。第２底面部６２ｂは、第１方向Ｚにおいて、挿入孔部５の第１内側面５１よりも距離Ｌ２（図４参照）だけ第２面２Ｂ側に配置されている。
更に、第２底面部６２ｂは、第１方向Ｚにおいて、挿入孔部５における第２内側面５２よりも第２面２Ｂ側に配置される。第２底面部６２ｂは、第１方向Ｚにおいて、挿入孔部５の第２内側面５２よりも距離Ｌ１（図４参照）だけ第２面２Ｂ側に配置されている。
【００４６】
第３底面部６２ｃ及び第４底面部６２ｄは、第１方向Ｚ及び第２方向Ｘに直交する第３方向Ｙにおいて、互いに突起部６１を挟んで配置されている。第３方向Ｙは、挿入孔部５へのストラップ紐９の挿入方向に直交する方向であり、本実施形態においては、筐体２における長手方向である。第３底面部６２ｃ及び第４底面部６２ｄは、第１内側面５１と、第２底面部６２ｂとをつなぐ面である。
【００４７】
収容空間６３は、ストラップ紐９を収容する空間である。
また、収容部６は、ネジ部材７に近接して配置されている。そして、本実施形態において、ネジ部材７は、本体３Ａに第１方向Ｚに沿って配置される。ネジ部材７は、第２面２Ｂ側から第１面２Ａ側にねじ込まれて本体３Ａに取り付けられる。
【００４８】
カバー３Ｂは、収容部６に対向する内壁面に配置される環状の壁部８を備える。
壁部８は、収容部６側に突出する壁部である。
壁部８は、第１方向Ｚにおいて底面部６２と対向して配置される。
壁部８は、第１方向から見た場合、突起部６１における先端部６１ｂを囲むように配置される。壁部８は、突起部６１に取り付けられた後述するストラップ紐９の抜け防止部材として機能する。
【００４９】
壁部８は、規制部８１を有する。
規制部８１は、第２方向Ｘにおいて、壁部８において挿入孔部５側と反対側に配置される。規制部８１は、第２方向Ｘにおいて、先端部６１ｂにおける挿入孔部５側と反対側に配置される。
規制部８１は、第２方向Ｘにおいて、突起部６１と重なるように配置される。規制部８１は、第２方向Ｘにおいて、突起部６１と、寸法Ｌ３だけ重なるように配置される（図４参照）。
【００５０】
また、本実施形態において、規制部８１は、突起部６１との間の距離Ｓ（隙間）が後述のストラップ紐９の太さ（直径）よりも小さくなるように設定される。
壁部８は、規制部８１により、突起部６１に取り付けられたストラップ紐９が抜けることを抑制する。また、壁部８は、規制部８１と異なる部分においてもストラップ紐９の抜けを抑制する。
【００５１】
続けて、図８から図１２により、ストラップ紐９を筐体２に取り付ける手順を説明する。図８は、ストラップ紐９におけるＵ字状に曲げた端部９１が開口部４を介して挿入孔部５に挿された状態を示す斜視図である。図９は、ストラップ紐９の端部９１が突起部６１の先端部６１ｂ側に誘導されている状態を示す斜視図である。図１０は、ストラップ紐９の端部９１が突起部６１に取り付けられた状態を示す斜視図である。図１１は、ストラップ紐９の端部９１が突起部６１に取り付けられた状態を示す斜視図である。図１２は、ストラップ紐９が突起部６１に取り付けられた本体３Ａにカバー３Ｂが取り付けられて、筐体２へのストラップ紐９の取り付けが完了した状態の断面図である。図１３は、ストラップ紐９から突起部６１に作用する力を説明する図である。
【００５２】
まず、ユーザは、本体３Ａからカバー３Ｂを取り外す。
続けて、図８に示すように、ユーザは、ストラップ紐９のＵ字状に曲げた端部９１を本体３Ａの開口部４に挿入すると共に、矢印Ｆ方向に押し入れる。ユーザは、ストラップ紐９のＵ字状に曲げた端部９１を、開口部４を介してを介して挿入孔部５に挿入する。
【００５３】
続けて、図９に示すように、ユーザは、ストラップ紐９を更に矢印Ｆ方向に押し入れると、端部９１は、収容部６の第１底面部６２ａに沿って矢印Ｍで示す方向に移動が案内され、突起部６１の先端部６１ｂに移動される。ここで、第１底面部６２ａは、凹状の曲面であるので、ストラップ紐９の端部９１は、突起部６１の基端部６１ａ側へスムースに案内される。
【００５４】
続けて、図１０及び図１１に示すように、ストラップ紐９の端部９１が突起部６１の先端部６１ｂまで移動すると、ユーザは、ストラップ紐９の端部９１を矢印Ｒ１で示すように第２底面部６２ｂ側に移動させる。これにより、ストラップ紐９における端部９１側の部分は、突起部６１の周囲を囲むように配置される。これにより、ストラップ紐９は、突起部６１に取り付けられる。
【００５５】
続けて、図１２に示すように、ユーザは、取り外したカバー３Ｂを本体３Ａに取り付ける。これにより、カバー３Ｂにおける環状の壁部８は、突起部６１の先端部６１ｂ側を囲むように配置される。
これにより、ストラップ紐９は、筐体２に取り付けられる。ストラップ紐９は、ストラップ取付構造Ｕにより、筐体２に取り付けられる。
【００５６】
ストラップ取付構造Ｕにより取り付けられたストラップ紐９は、いずれの方向に引っ張られても、端部９１が先端部６１ｂ側に移動させる力は作用しない。これにより、ストラップ取付構造Ｕは、取り付けられたストラップ紐９の抜けを好適に抑制する。
また、他の要因で、取り付けられたストラップ紐９の端部９１が突起部６１の先端部６１ｂ側に移動した場合、壁部８の規制部８１により、端部９１における突起部６１の先端部６１ｂを乗り越える移動が規制される。これにより、ストラップ取付構造Ｕは、取り付けられたストラップ紐９の抜けを好適に抑制する。
【００５７】
また、図１３により、筐体２に取り付けられたストラップ紐９が引っ張られた場合等におけるストラップ紐９から突起部６１に作用する力について説明する。
図１３に示すように、筐体２に取り付けられたストラップ紐９に張力Ｔが作用すると、端部９１が周囲を囲むように配置される突起部６１には、剪断力（曲げ荷重）Ｐが作用する。
【００５８】
剪断力Ｐは、突起部６１における先端部６１ｂ側に部分ではなく、基端部６１ａに対して作用する。
また、剪断力Ｐは、突起部６１が突出する方向である第１方向Ｚに直交する第２方向Ｘではなく、矢印Ｐで示すように、底面部６２側に向かう方向に作用している。
これにより、突起部６１において、剪断力Ｐを受ける断面積が増加し、剪断強度が高まる。また、これにより、ストラップ取付構造Ｕは、ストラップ紐９が引っ張られたこと等により生じる破損の発生を抑制可能に構成される。
【００５９】
ここで、本実施形態において、ストラップ紐９の端部９１が配置される第２底面部６２ｂは、第１方向Ｚにおいて、第１内側面５１よりも第２面２Ｂ側に配置される。これにより、ストラップ紐９が第１面２Ａ側に引っ張られた場合、突起部６１に作用する剪断力Ｐは、底面部６２側に向かう方向に作用する。
また、ストラップ紐９の端部９１が配置される第２底面部６２ｂは、第１方向Ｚにおいて、第２内側面５２よりも第２面２Ｂ側に配置される。これにより、ストラップ紐９が第２面２Ｂ側に引っ張られた場合であっても、突起部６１に作用する剪断力Ｐは、底面部６２側に向かう方向に作用する。
これにより、ストラップ取付構造Ｕは、ストラップ紐９が引っ張られたこと等により生じる破損の発生を抑制可能に構成される。
【００６０】
以上に説明した本実施形態によれば、例えば、次の効果が奏される。
本実施形態によれば、携帯電話機１は、筐体２と、開口部４と、挿入孔部５と、挿入孔部５に連続する収容部６と、を備える。そして、筐体２は、第１面２Ａと、第１方向（厚さ方向）において第１面２Ａと反対側の第２面２Ｂと、第１面２Ａと第２面２Ｂとをつなぐ側面２Ｃと、を有する。また、開口部４は、筐体２の側面２Ｃに形成される。挿入孔部５は、開口部４に連続すると共に、筐体２の内部側であって第１方向と直交する第２方向（短手方向）にのびるように形成され、第１方向における第１面２Ａ側の第１内側面５１と、第２面２Ｂ側の第２内側面５２と、を有する。また、収容部６は、突起部６１と、底面部６２と、を備える。そして、突起部６１は、筐体２の第１方向に突出して配置され、第１面２Ａ側の基端部６１ａと、第２面２Ｂ側の先端部６１ｂと、を有する。底面部６２は、挿入孔部５の第１内側面５１と突起部６１の基端部６１ａとに連続する面である。そして、第１底面部６２ａは、突起部６１における前記挿入孔部５側に配置され、前記第１内側面５１と、前記突起部６１の前記基端部６１ａにおける前記挿入孔部５側の部分とをつなぐ。また、第２底面部６２ｂは、筐体２における第２方向において、突起部６１における挿入孔部５と反対側に配置され、第１方向において、挿入孔部５の第１内側面５１よりも前記第２面２Ｂ側に配置される。また、底面部６２は、筐体２における第１方向及び前記第２方向に直交する第３方向において、突起部６１を挟んで配置されると共に、第１内側面５１と、第２底面部６２ｂとをつなぐ第３底面部６２ｃ及び第４底面部６２ｄと、を備える。
【００６１】
本実施形態によれば、携帯電話機１において、ストラップ紐９を取り付けるための孔部は一つである。これにより、携帯電話機１は、デザイン性に優れる。
また、携帯電話機１は、ストラップ紐９が取り付けられる収容部６の突起部６１は、筐体２の内部に配置される。これにより、携帯電話機１は、ストラップ紐９の取り付け部分を外部に露出させない。また、これにより、携帯電話機１は、デザイン性に優れる。
【００６２】
また、本実施形態によれば、携帯電話機１において、第２底面部６２ｂは、第１方向Ｚにおいて、第１内側面５１よりも第２面２Ｂ側に配置される。
これにより、携帯電話機１は、突起部６１に取り付けられたストラップ紐９が突起部６１における先端部６１ｂ側に移動しにくく構成される。これにより、携帯電話機１は、取り付けられたストラップ紐の抜けを抑制可能に構成される。
【００６３】
また、本実施形態によれば、携帯電話機１において、取り付けられたストラップ紐９が引っ張られた場合、突起部６１に対して作用する剪断力は、突起部６１の基端部６１ａに対して加えられ、かつ、第２方向Ｘに対して先端部６１ｂ側と反対側に傾いた方向に加えられる。これにより、携帯電話機１は、取り付けられたストラップ紐９が引っ張られた場合において生じる突起部６１における破損の発生を抑制可能に構成される。
【００６４】
また、本実施形態において、突起部６１は、第１方向Ｚにおいて、第２底面部６２ｂが第１底面部６２ａ及び第１内側面５１よりも第２面２Ｂ側に配置される。
これにより、携帯電話機１において、突起部６１における長さは短い。これにより、携帯電話機１は、突起部６１における破損の発生を抑制可能に構成される。
【００６５】
また、本実施形態において、収容部６の底面部６２における第２底面部６２ｂは、筐体２における第１方向Ｚにおいて、挿入孔部５の第２内側面５２よりも第２面２Ｂ側に配置される。
これより、携帯電話機１は、取り付けられたストラップ紐９が第１方向Ｚにおける第２面２Ｂ側に引っ張られた場合であっても、突起部６１に取り付けられたストラップ紐９が突起部６１における先端部６１ｂ側に移動しにくく構成される。これにより、携帯電話機１は、取り付けられたストラップ紐の抜けを抑制可能に構成される。
【００６６】
また、本実施形態によれば、携帯電話機１において、取り付けられたストラップ紐９が第１方向Ｚにおける第２面２Ｂ側に引っ張られた場合であっても、突起部６１に対して作用する剪断力は、突起部６１の基端部６１ａに対して加えられ、かつ、第２方向Ｘに対して先端部６１ｂ側と反対側に傾いた方向に加えられる。これにより、携帯電話機１は、取り付けられたストラップ紐９が引っ張られた場合において生じる突起部６１における破損の発生を抑制可能に構成される。
【００６７】
また、本実施形態によれば、携帯電話機１において、収容部６の底面部６２における第１底面部６２ａは、曲面状である。
これにより、挿入孔部５から収容部６に挿入されるストラップ紐９の端部９１は、第１底面部６２ａに沿ってスムースに突起部６１の先端側に案内される。これにより、携帯電話機１は、ストラップ紐の突起部６１への取り付けが容易になるよう構成される。携帯電話機１は、ストラップ紐９の取り付け性が向上される。
【００６８】
また、本実施形態によれば、携帯電話機１において、筐体２は、第３方向Ｙに長い形状であり、開口部４は、側面２Ｃにおける第２方向Ｘ外側の領域に形成される。
これにより、携帯電話機１は、ユーザがストラップ紐９をもって該携帯電話機１をぶら下げた場合、ストラップ紐９が挿入孔部５の第３内側面５３に当接するよう構成される。携帯電話機１は、第３内側面５３でもストラップ紐９に作用する張力の一部を負担する（支える）よう構成される。また、これにより、携帯電話機１は、開口部４が筐体２の第３方向Ｙ外側の側面２Ｃに形成された場合に比べて、突起部６１に直接的に加わる力を弱くし、突起部６１における破損の発生を更に抑制するよう構成される。
【００６９】
また、本実施形態によれば、携帯電話機１において、筐体２は、第１方向Ｚに沿って配置されるネジ部材７を有し、収容部６は、ネジ部材７に近接して配置される。
これにより、携帯電話機１は、ストラップ紐９の張力が作用する収容部６がネジ部材７によって締結された固定部付近に位置しているため、ネジ部材７による締結強度を利用してストラップ取付構造Ｕ、及びストラップ取付構造Ｕの周辺領域における剛性を向上させるよう構成される。これにより、携帯電話機１は、ストラップ紐９の張力の影響によるストラップ取付構造Ｕ、及びストラップ取付構造Ｕの周辺領域における破損の発生を抑制できる。また、これにより、携帯電話機１は、ストラップ紐９の張力の影響による筐体２の破損や、位置ずれの発生を抑制することができる。
【００７０】
また、本実施形態によれば、携帯電話機１において、筐体２は、収容部６における第２面２Ｂ側に配置されるカバー３Ｂを有している。そして、カバー３Ｂは、第１方向において第１底面部６２ａと対向して配置されると共に収容部６に突出する壁部８を備える。そして、壁部８は、筐体２における第２方向Ｘにおいて、突起部６１における挿入孔部５と反対側に配置される規制部８１を有する。
これにより、携帯電話機１は、壁部８の規制部８１が、突起部６１の先端部６１ｂにおける第２底面部６２ｂ側に配置されるので、第２底面部６２ｂ側に配置されたストラップ紐９の端部９１が突起部６１から取り外されることを規制する。携帯電話機１は、取り付けられたストラップ紐の抜けを好適に抑制可能に構成される。なお、壁部８における規制部８１と、突起部６１との距離Ｓを、ストラップ紐９の直径よりも小さく設定した場合には、携帯電話機１は、ストラップ紐９の抜けを更に好適に抑制可能に構成される。
また、これにより、携帯電話機１は、カバー３Ｂが筐体２における第２方向Ｘに位置ずれする場合、規制部８１が突起部６１の先端部６１ｂに当接する。これにより、携帯電話機１は、カバー３Ｂの位置ずれを抑止可能に構成される。
【００７１】
また、本実施形態によれば、携帯電話機１において、壁部８における規制部８１は、第２方向Ｘにおいて突起部６１と重なるように配置される。
これにより、携帯電話機１は、好適に、ストラップ紐９の抜け抑制及び、カバー３Ｂの位置ずれ抑制がなされるよう構成される。
【００７２】
また、本実施形態によれば、携帯電話機１において、壁部８は、筐体２における第１方向Ｚから見た場合、突起部６１における先端部６１ｂを囲むように環状に形成される。
これにより、携帯電話機１は、更に好適に、ストラップ紐９の抜け防止、及びカバー３Ｂの位置ずれ抑制がなされるよう構成される。
また、これにより、携帯電話機１は、壁部８が突起部６１における先端部６１ｂを囲むように配置されるので、第２方向Ｘ及び第３方向Ｙを含む平面がのびる平面方向へのカバー３Ｂの位置ずれも抑制可能に構成される。
【００７３】
以上、好適な実施形態について説明したが、本発明は上述した実施形態に限定されることなく種々の形態で実施することができる。例えば、本実施形態において、携帯装置として携帯電話機１について説明しているが、これに限定されず、携帯装置は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００７４】
また、本実施形態において、筐体が一つであるストレートタイプの携帯電話機について説明しているが、携帯装置は、このような携帯電話機に限定されない。本発明の携帯装置として、複数の筐体を有するタイプも含まれる。例えば、携帯装置は、２つの筐体が連結部を介して折りたたみ可能に構成された折り畳みタイプや、２つの筐体が重ね合わされた状態から一方の筐体を一方向にスライド移動可能に構成されたスライドタイプや、２つの筐体が重ね合された状態から重ね合わせ方向に沿う軸線を中心に一方の筐体を回転可能に構成された回転（ターン）タイプや、いわゆる２軸ヒンジタイプであってもよい。
【００７５】
また、本実施形態において、筐体２における厚さ方向を第１方向、筐体２における短手方向を第２方向、筐体２にける長手方向を第３方向としているが、これに限定されない。筐体２における長手方向を第２方向、筐体２にける短手方向を第３方向としてもよい。
【００７６】
また、本実施形態おいて、壁部８は、突起部６１における先端部６１ｂを囲むように配置されるが、突起部６１における先端部６１ｂに被嵌して配置されてもよい。言い換えると、携帯電話機１は、突起部６１の先端部６１ｂが壁部８に嵌合して配置されるよう構成されてもよい。
この場合、携帯電話機１は、好適に、ストラップ紐９の抜け抑制、及びカバー３Ｂの位置ずれ抑制が可能に構成される。
また、携帯電話機１は、壁部８が突起部６１の先端部６１ｂを保持するので、突起部６１における両端が固定された構造を有する。これにより、携帯電話機１は、突起部６１の強度を更に向上させることが可能に構成される。
【符号の説明】
【００７７】
１  携帯電話機（携帯装置）
２  筐体
２Ａ  第１面（表面）
２Ｂ  第２面（裏面）
２Ｃ  側面
３Ａ  本体
３Ｂ  カバー
４  開口部
５  挿入孔部
６  収容部
７  ネジ部材
８  壁部
９  ストラップ紐
１１ａ、１１ｂ、１１ｃ、１１ｄ、１１ｅ  ハードキー
２１  タッチスクリーンディスプレイ
５１  第１内側面
５２  第２内側面
５３  第３内側面
６１  突起部
６１ａ  基端部
６１ｂ  先端部
６２  底面部
６２ａ  第１底面部
６２ｂ  第２底面部
６２ｃ  第３底面部
６２ｄ  第４底面部
８１  規制部
９１  端部
Ｘ    第２方向
Ｙ    第３方向
Ｚ    第１方向
【図１】
2013243448.tif 000003
【図２】
2013243448.tif 000004
【図３】
2013243448.tif 000005
【図４】
2013243448.tif 000006
【図５】
2013243448.tif 000007
【図６】
2013243448.tif 000008
【図７】
2013243448.tif 000009
【図８】
2013243448.tif 000010
【図９】
2013243448.tif 000011
【図１０】
2013243448.tif 000012
【図１１】
2013243448.tif 000013
【図１２】
2013243448.tif 000014
【図１３】
2013243448.tif 000015